(57)【要約】【課題】運動中の生体の脈動を精度良く測定可能にすること。【解決手段】ＬＥＤ発光部１３−１乃至１３−Ｎの各々は、相異なる所定の波長の光をそれぞれ発する。受光部１４は、ＬＥＤ発光部１３−１乃至１３−Ｎの各々から発せられ、生体の測定対象部位を透過した光を受光して、当該光の強度に応じた電気信号を出力する。データ取得部１６は、受光部１４から出力された電気信号の時間推移に基づいて、測定対象部位における脈動のデータを取得する。波長設定部１９は、ＬＥＤ発光部１３−１乃至１３−ＮのうちＬＥＤ選択部２０により選択されるＬＥＤ発光部１３の波長として、測定対象部位の厚み及び吸収係数に基づいて設定する。【選択図】図１
2015000045.tif 000002
【特許請求の範囲】
【請求項１】
生体の脈動を測定する脈動測定装置であって、
所定の波長の光を発する発光部と、
前記発光部から発せられ、生体の測定対象部位を透過した光を受光して、当該光の強度に応じた電気信号を出力する出力部と、
前記出力部から出力された電気信号の時間推移に基づいて、前記測定対象部位における脈動のデータを取得する取得部と、
を備え、
前記発光部の波長は、前記測定対象部位の厚み及び吸収係数に基づいて設定されている、
脈動測定装置。
【請求項２】
前記測定対象部位は、実験用小動物の耳であり、
前記発光部の波長は、黄色光の帯域で設定されている、
請求項１に記載の脈動測定装置。
【請求項３】
前記測定対象部位の厚み及び吸収係数に基づいて、前記発光部の波長を可変設定する波長設定部、
をさらに備える請求項１又は２に記載の脈動測定装置。
【請求項４】
脈動測定装置が生体の脈動を測定するまでの脈動測定方法であって、
所定の波長の光を発する発光ステップと、
前記発光ステップの処理において発せられ、生体の測定対象部位を透過した光を受光して、当該光の強度に応じた電気信号を出力する出力ステップと、
前記出力ステップの処理で出力された電気信号の時間推移に基づいて、前記測定対象部位における脈動のデータを取得する取得ステップと、
を含み、
前記発光ステップの処理で発せられる光の波長は、前記測定対象部位の厚み及び吸収係数に基づいて設定されている、
脈動測定方法。
【請求項５】
生体の脈動を測定するために、
所定の波長の光を発する発光部と、
前記発光部から発せられ、生体の測定対象部位を透過した光を受光して、当該光の強度に応じた電気信号を出力する出力部と、
を備えるセンサを用いて、生体の脈動を測定する制御を実行するコンピュータを、
前記出力部から出力された電気信号の時間推移に基づいて、前記測定対象部位における脈動のデータを取得する取得手段
として機能させるプログラムであって、
前記発光部の波長は、前記測定対象部位の厚み及び吸収係数に基づいて設定されている、
プログラム。
【発明の詳細な説明】
【技術分野】
【０００１】
本発明は、運動中の生体の脈動、特に運動中のモルモット等の実験用小動物の脈動を測定可能な、脈動測定装置、脈動測定方法、及びプログラムに関する。
【背景技術】
【０００２】
従来より、動物の条件付け学習を調査する手法としては、飲水実験に代表される行動実験が一般的に採用されていた。しかしながら、飲水実験は、準備等を含め最低１週間を要する。このため、動物の条件付け学習を調査する別の手法が要求されている。
例えば、動物の条件付け学習を調査する別の手法として、動物の心理状態をモニタリングする手法の１つである、心電図を用いる手法がある。ただし、当該手法では、動物が動くとノイズが混入するため、動物を拘束するか又は麻酔下で計測する必要があり、自由行動下の動物の脈拍計測に適用するのは不的である。
そこで、本発明者は、動物の心理状態をモニタリングする別の手法の１つである、イヤセンサによる脈動の計測（例えば特許文献１参照）を用いる手法に着目した。
【先行技術文献】
【特許文献】
【０００３】
【特許文献１】特開２０１２−１５２４９３号公報
【発明の概要】
【発明が解決しようとする課題】
【０００４】
しかしながら、特許文献１を含め従来のイヤセンサは、運動中等の人間の耳たぶに装着して当該人間の脈動を計測することを前提としているため、運動中のモルモットの耳に装着しても、当該モルモットの脈動を計測することは非常に困難である。
【０００５】
本発明は、このような状況に鑑みてなされたものであり、運動中の生体の脈動を精度良く測定可能にすることを目的とする。
【課題を解決するための手段】
【０００６】
上記目的を達成するため、本発明の一態様の脈動測定装置は、
所定の波長の光を発する発光部と、
前記発光部から発せられ、生体の測定対象部位を透過した光を受光して、当該光の強度に応じた電気信号を出力する出力部と、
前記出力部から出力された電気信号の時間推移に基づいて、前記測定対象部位における脈動のデータを取得する取得部と、
を備え、
前記発光部の波長は、前記測定対象部位の厚み及び吸収係数に基づいて設定されている、ことを特徴とする。
このように、従来は考慮されていなかった発光部の波長が、測定対象部位の厚み及び吸収係数に基づいて設定される。その結果、運動中の生体の脈動、特に運動中のモルモット等の実験用小動物の脈動が測定可能になる。
【０００７】
また、本発明の一態様の脈動測定装置において、
前記測定対象部位は、実験用小動物の耳であり、
前記発光部の波長は、黄色光の帯域で設定されている、
ようにすることができる。
これにより、運動中のモルモット等の実験用小動物の脈動を精度良く適切に測定することが可能になる。
【０００８】
また、本発明の一態様の脈動測定装置は、
前記測定対象部位の厚み及び吸収係数に基づいて、前記発光部の波長を可変設定する波長設定部、
をさらに備えることができる。
これにより、測定対象部位の違いによらず、脈動を精度よく適切に測定することが可能になる。ここで、測定対象部位の違いとは、人間や実験用小動物等の生体の種類の違い（耳の厚さや血流量の違い）のみならず、同一生体内での部位の違い（耳と、それ以外の部位、例えば指等との違い）も含まれる。
【０００９】
また、上記目的を達成するため、本発明の一態様の脈動測定方法及びプログラムの各々は、上述の本発明の一態様の脈動測定装置に対応する方法及びプログラムの各々である。
【発明の効果】
【００１０】
本発明によれば、運動中の生体の脈動を精度良く測定可能となる。
【図面の簡単な説明】
【００１１】
【図１】本発明の一実施形態に係る脈動装置の機能的構成を示すブロック図である。
【図２】図１の脈動測定装置のうちＬＥＤ発光部と受光部との外観構成を示す模式図である。
【図３】図１の脈動測定装置のうちＬＥＤ発光部と受光部とからなるイヤセンサを、生体の一例としてのモルモットの耳に装着させた様子を示す模式図である。
【図４】図１の脈動測定装置による、図３のモルモットの脈動の測定結果を示す図である。
【図５】ＬＥＤ発光部と受光部とからなるイヤセンサを含む図１の脈動測定装置による、生体の脈動の測定の原理の概要を説明する模式図である。
【図６】光の波長についてのヘモグロビンの吸収スペクトルを示す図である。
【図７】物体の吸収係数と透過率との関係を説明するための模式図である。
【図８】散乱を考慮した場合における、物体の吸収係数と透過率との関係を説明するための模式図である。
【発明を実施するための形態】
【００１２】
以下、本発明の実施形態について、図面を用いて説明する。
【００１３】
図１は、本発明の一実施形態に係る脈動測定装置の機能的構成を示すブロック図である。
【００１４】
脈動測定装置は、図１に示すように、ＬＥＤ（Ｌｉｇｈｔ  Ｅｍｉｔｔｉｎｇ  Ｄｉｏｄｅ）駆動電源１１と、切替部１２と、波長が相異なるＮ種類（Ｎは１以上の任意の整数値）のＬＥＤ発光部１３−１乃至１３−Ｎと、受光部１４と、アンプ１５と、データ取得部１６と、データ表示部１７と、厚み取得部１８と、波長設定部１９とを備えている。
【００１５】
ここで、本実施形態では、データ表示部１７はコンピュータ３１に内蔵するディスプレイとして構成されており、データ取得部１６、厚み取得部１８、及び波長設定部１９は、コンピュータ３１（ハードウェア）とそれが実行するソフトウェアとの協働により構成される。しかしながら、データ取得部１６乃至波長設定部１９の構成は、本実施の形態に特に限定されず、後述する各機能を有するものであれば足りる。即ち、例えば、データ表示部１７はコンピュータ３１とは別の外部モニタとして構成されてもよいし、データ取得部１６、厚み取得部１８、及び波長設定部１９の少なくとも一部の機能は、専用の回路（ハードウェア）により構成されてもよい。
【００１６】
ＬＥＤ駆動電源１１は、ＬＥＤ発光部１３−１乃至１３−Ｎを発光させるための、安定化電源である。
切替部１２は、ＬＥＤ選択部２０の制御に基づいて、出力先を切り替える。具体的には、切替部１２においては、その入力端にＬＥＤ駆動電源１１が接続され、Ｎ個の出力端のそれぞれには、ＬＥＤ発光部１３−１乃至１３−Ｎの各々が接続される。後述のＬＥＤ選択部２０によりＬＥＤ発光部１３−Ｋ（Ｋは、１乃至Ｎのうちの任意の整数値）が選択された場合、切替部１２の出力先は、ＬＥＤ発光部１３−Ｋに切り替えられる。
この場合、ＬＥＤ駆動電源１１から発生された電力は、切替部１２を介してＬＥＤ発光部１３−Ｋに供給される。
ＬＥＤ発光部１３−Ｋは、他とは波長が異なるＬＥＤを有し、ＬＥＤ駆動電源１１から発生された電力を駆動源として、発光する。
なお、ＬＥＤ発光部１３−１乃至１３−Ｎの各々を特に区別する必要が無い場合、以下、これらをまとめて「ＬＥＤ発光部１３」と呼ぶ。
受光部１４は、フォトダイオードを含み、ＬＥＤ発光部１３からの光を受光し、例えば受光の強度に応じたレベルの電気信号に変換し、出力する。
アンプ１５は、受光部１４から出力された電気信号のレベルを増幅し、例えば所定の電流値（例えば４〜２０ｍＡの範囲内の電流値）を有する出力信号としてデータ取得部１６に出力する。
【００１７】
図２は、ＬＥＤ発光部１３と、受光部１４との外観構成を示す模式図である。
図２に示すように、ＬＥＤ発光部１３と受光部１４とは、人間を含む生体の耳に装着される、いわゆるイヤセンサを構成する。
生体の脈動の測定時には、ＬＥＤ発光部１３のうちＬＥＤ４１が配置されている面（図２（Ａ）に示す面であり、以下、「表面」と呼ぶ）と、受光部１４のうちフォトダイオードが配置されている面（図２（Ａ）に示す面であり、以下、「表面」と呼ぶ）とを対向させて、生体の耳を挟むように配置される。この場合、図２（Ｂ）に示すように、ＬＥＤ発光部１３の裏面に配置されたマグネット４２と、受光部１４の裏面に配置されたマグネット４３との磁力により、イヤセンサが生体の耳に固定される。
【００１８】
図３は、生体の一例としてのモルモット５１の耳に、ＬＥＤ発光部１３と受光部１４とからなるイヤセンサを装着（固定）させた様子を示す模式図である。
【００１９】
図１に戻り、データ取得部１６は、受光部１４からアンプ１５を介して出力信号として連続的に出力される波形データを取得して、その波形データに基づいて生体の脈動を測定する。
なお、以下、受光部１４からアンプ１５を介して出力される電気信号を、単に、「受光部１４の出力信号」と呼ぶ。換言すると、以下、アンプ１５を介する点については省略して説明する。
データ表示部１７は、受光部１４から供給された波形データの様子や、生体の脈動の測定結果を画像として表示する。
【００２０】
図４は、図１の脈動測定装置による、図３のモルモット５１の脈動の測定結果を示す図である。
縦軸は、受光部１４の出力信号のレベルを示しており、横軸は、時間軸を示している。
データ取得部１６は、受光部１４の出力信号の周期（同図の波形のピークからピークまでの時間間隔）に基づいて、イヤセンサが装着されたモルモット５１の脈拍を測定する。また、データ取得部１６は、受光部１４の出力信号の振幅Ｈに基づいて、モルモット５１の耳における血流量を測定する。
【００２１】
図５は、ＬＥＤ発光部１３と受光部１４とからなるイヤセンサを含む図１の脈動測定装置による、生体の脈動の測定原理の概要を説明する模式図である。
図５（Ａ）は、イヤセンサが装着される生体の部位（例えば図３の例ではモルモット５１の耳）における、生体組織を示している。
図５（Ａ）に示すように、イヤセンサが装着される生体の部位（例えば図３の例ではモルモット５１の耳）は、受光部１４が当接される側（同図中下側）からみて、血管以外の組織、血管のうち静脈層、及び血管のうち動脈層が、積層されて形成される。
従って、ＬＥＤ発光部１３から射出された光は、入射光として動脈層に入射され、静脈層及び血管以外の組織を透過して、透過光として生体の外部に出力されて、受光部１４において受光される。受光部１４は、この透過光の強度に応じたレベル（本実施形態ではアンプ１５を介することにより４〜２０ｍＡの範囲内の電流値）の電気信号に変換して、当該電気信号を出力信号としてデータ取得部１６に出力する。即ち、受光部１４の出力信号のレベル（図４の縦軸）は、直接的には透過光の強度を示している。
図５（Ｂ）は、動脈層の厚みの時間的変化と、透過光の強度の時間的変化との関係を示している。
図５に（Ｂ）に示すように、心臓の拍動に伴い単位時間当たりの血流量が変化し、血管のうち動脈層が膨らんだり萎んだりしながら、血液が流れる。換言すると、心臓の拍動に応じて動脈層の厚みが変化する。その結果、動脈層の厚みの変化に応じて、生体からの透過光の強度が変化する。
従って、受光部１４の出力信号の波形（透過光の強度の時間的推移を示す波形）の周期に基づいて、脈拍が測定可能になる。また、受光部１４の出力信号の振幅Ｈに基づいて、生体の血流量の測定が可能になる。
【００２２】
ここで、本発明者は、ＬＥＤ発光部１３と受光部１４からなるイヤセンサとして、当初、特許文献１等に示される従来のイヤセンサを採用した。
しかしながら、［発明が解決しようとする課題］の欄で上述したように、従来のイヤセンサでは、運動中の人間の耳たぶに装着して当該人間の脈動を測定することは可能であるものの、運動中のモルモット５１等実験用小動物の耳に装着して当該実験用小動物の脈動を計測することは実質的に不能である。
そこで、本発明者は、この原因について詳細に検討した結果、人間の耳たぶに比べ、モルモット等の実験用小動物の耳は薄すぎて計測に必要な血流量が不足し、光学的に検出できないのではないかという結論に至った。そこで、本発明者は、実験用小動物に用いて好適な独自のイヤセンサを発明した。
即ち、本実施形態では、ＬＥＤ発光部１３と受光部１４からなるイヤセンサとして、本発明者により発明された、独自のイヤセンサが採用されている。以下、独自のイヤセンサについて詳細に説明する。
【００２３】
先ず、本発明者は、モルモット５１の耳が薄すぎて血流量が不足して検出ができないのであれば、検出力を上げればよいと考え、従来のイヤセンサを適用したまま、アンプ１５の増幅率を上げる等様々な手法を試みた。しかしながら、何れの手法を試みても、運動中のモルモット５１等実験用小動物の脈拍を測定することが実質できなかった。
【００２４】
そこで、本発明者は、ヘモグロビンの吸収スペクトルに着目するに至った。
図６は、光の波長についてのヘモグロビン（Ｈｂ又はＨｂＯ２）の吸収スペクトルを示す図である。
即ち、図６において、縦軸はヘモグロビン（Ｈｂ又はＨｂＯ２）の吸収係数（任意単位）を示し、横軸は光の波長（ｎｍ）を示している。
従来の人間用イヤセンサにおいては、９００［ｎｍ］付近の近赤外光が一般的に採用されている。この採用の理由は、人間の耳たぶの組織が分厚いため、光の透過力を増すためである。しかしながら、図６に示すように、近赤外光では、吸収係数が低くなるため、即ちヘモグロビンによる吸収量が低くなるため、受光部１４の出力信号の振幅Ｈも、ノイズに埋もれてしまうほど低くなり、その結果、運動中のモルモット５１等実験用小動物の脈拍を計測することが実質できなくなる。
そこで、本発明者は、５５０〜６００［ｎｍ］付近の可視光（黄色光）に着目した。即ち、本発明者は、黄色光に対する吸収係数は近赤外光と比較して２ケタ近く高いことに着目した。換言すると、本発明者は、当該黄色光を発するＬＥＤ発光部１３を適用することで、モルモット５１の血流量の不足をカバーし、モルモット５１の脈動を測定できると推測した。そして、本発明者は、黄色ＬＥＤを用いたＬＥＤ発光部１３と、受光部１４とからなる独自のイヤセンサを作製し、これを図１の脈動測定装置に実装して、モルモット５１の耳に装着したところ、脈動の計測に成功した。この計測結果を示したものが、上述の図４である。
【００２５】
本発明者は、さらに、次のような手法を発明し、当該手法を図１の脈動測定装置に適用した。
先ず、図７を参照して、物体の吸収係数と透過率との関係について説明する。
図７は、物体の吸収係数と透過率との関係を説明するための模式図である。
図７に示すように、強度Ｉ0（λ）の入射光が、厚さｄの物体を透過して、強度Ｉ（λ）の透過光として出力されたものとする。
この場合、波長λの光についての物体の吸収係数α（λ）と透過率Ｔ（λ）との関係として、式（１）又は式（２）に示すような、ランベルト・ベールの法則が知られている。
【数１】
2015000045.tif 000003
【数２】
2015000045.tif 000004
式（１）及び式（２）において、Ｃは、モル濃度を示し、ε（λ）は、波長λの光についてのモル吸光係数（１モルあたりの吸収係数）を示している。
上述した図６に示す波長λと吸収係数α（λ）の関係（グラフ）から、とある波長λに対する吸収係数α（λ）の値がわかるので、生体の測定対象部位（ここでは耳）の厚さｄがわかれば、透過率Ｔ（λ）が求まることになる。
換言すると、脈動を測定するためには、受光部１４の出力信号の振幅Ｔが、ノイズに埋もれない程度の大きさとなっていることが必要であり、このためには、透過率Ｔ（λ）が所定の閾値以上の大きさになることが必要である。
そこで、本発明人は、生体の測定対象部位（ここでは耳）の厚さｄを入力パラメータとして、波長λの候補を変化させながら透過率Ｔ（λ）を順次求め、透過率Ｔ（λ）が閾値を超えた波長λの候補の中から、ＬＥＤ発光部１３の光の波長λを設定する、という手法を発明した。
これにより、測定対象部位の違いによらず、生体の脈動を精度よく適切に測定することが可能になる。ここで、測定対象部位の違いとは、人間や実験用小動物等の生体の種類の違い（耳の厚さｄや血流量の違い）のみならず、同一生体の中での部位の違い（耳と、それ以外の部位、例えば指等との違い）も含まれる。
【００２６】
このような本発明人により発明された手法が、図１の脈動測定装置に適用されており、その結果として、図１に示すように、コンピュータ３１には、厚み取得部１８と波長設定部１９とが設けられている。また、切替部１２の切り替えを制御するためのＬＥＤ選択部２０が設けられている。
【００２７】
厚み取得部１８は、図１に図示せぬキーボードやマウス等を操作するユーザにより入力された、生体の測定対象部位（ここでは耳）の厚さｄを取得して、波長設定部１９に供給する。
【００２８】
波長設定部１９は、上述の本発明人により発明された手法に従って、ＬＥＤ発光部１３の光の波長λを設定する。
即ち、コンピュータ３１の図示せぬメモリには、図６に示す波長λと吸収係数α（λ）の関係（グラフ）を特定可能なデータが記憶されている。
そこで、波長設定部１９は、当該データに基づいて、波長λの候補を変化させながら吸収係数α（λ）を順次求める。そして、波長設定部１９は、入力された厚さｄと、順次求めた吸収係数α（λ）のそれぞれとを式（１）又は式（２）に代入して順次演算することで、透過率Ｔ（λ）を順次求める。波長設定部１９は、このようにして順次求めた複数の透過率Ｔ（λ）のうち、透過率Ｔ（λ）が閾値を超えた際の波長λの候補の中から、ＬＥＤ発光部１３の光の波長λを設定する。
【００２９】
ＬＥＤ選択部２０は、出力先として、ＬＥＤ発光部１３−１乃至１３−Ｎのうち、波長設定部１９により設定された波長を帯域として有するＬＥＤ発光部１３−Ｋを選択する。
【００３０】
なお、図７を参照して上述した式（１）や式（２）は、物体の表面及び内部で光の散乱がない場合の理想的な関係式であり、実際には図８に示すように散乱が生じる。
図８は、散乱を考慮した場合における、物体の吸収係数と透過率との関係を説明するための模式図である。
図８（Ａ）は、図７でも説明した、散乱が無いとした場合の理想的な、物体内の光の透過の様子を示している。
図８（Ｂ）は、散乱がある場合の、物体内の光の透過の様子を示している。
図８（Ｃ）は、反射光を計測した場合の、物体内の光の透過の様子を示している。
散乱がある場合、波長λの光についての物体の吸収係数α（λ）と透過率Ｔ（λ）との関係としては、上述の式（２）の代わりに、次の式（３）が用いられる。
【数３】
2015000045.tif 000005
式（３）において、Ｇ（λ）は、散乱による減衰を示しており、ｌ（λ）は、散乱の場合の物体内での光路長を示しており、ｎは、散乱による光路の総数を示している。
式（３）から明らかなように、散乱がある場合には、厚さｄは用いられず、平均の光路長ｌ（λ）が用いられる。
しかしながら、平均の光路長ｌ（λ）は、測定自体が困難であり、さらに、波長λに応じて変化する。特に、散乱は、波長λが５００ｍ以下の短波長の光で生じやすい。従って、緑、青、紫色といった短波長の光は、散乱の影響も顕著で透過しづらくなる。そこで、波長設定部１９は、短波長を波長λの候補とする際には、演算時に特別な補正をすると好適である。
【００３１】
なお、本発明は、上述の実施形態に限定されるものではなく、本発明の目的を達成できる範囲での変形、改良等は本発明に含まれるものである。
【００３２】
換言すると、本発明が適用される脈動測定装置は、次のような構成を有していれば足り、上述の実施形態を含め、各種各様の実施形態を取ることができる。
即ち、本発明が適用される、生体の脈動を測定する脈動測定装置は、
所定の波長の光を発する発光部と、
前記発光部から発せられ、生体の測定対象部位を透過した光を受光して、当該光の強度に応じた電気信号を出力する出力部と、
前記出力部から出力された電気信号の時間推移に基づいて、前記測定対象部位における脈動のデータを取得する取得部と、
を備え、
前記発光部の波長は、前記測定対象部位の厚み及び吸収係数に基づいて設定されている。
このように、従来は考慮されていなかった発光部の波長が、測定対象部位の厚み及び吸収係数に基づいて設定される。その結果、運動中の生体の脈動、特に運動中の図３のモルモット５１等の実験用小動物の脈動が測定可能になる。
【００３３】
ここで、上述の実施形態では、発光部として、ＬＥＤ発光部１３が採用されたが、特にこれに限定されず、「測定対象部位の厚み及び吸収係数に基づいて設定」することが可能な波長で、光を発することが可能な発光部であれば足りる。
【００３４】
特に、
前記測定対象部位は、実験用小動物の耳であり、
前記発光部の波長は、黄色光の帯域で設定されている、
ようにすることができる。
これにより、運動中の図３のモルモット５１等の実験用小動物の脈動を精度良く適切に測定することが可能になる。
【００３５】
さらに、本発明が適用される脈動測定装置は、
前記測定対象部位の厚み及び吸収係数に基づいて、前記発光部の波長を可変設定する波長設定部、
をさらに備えるようにしてもよい。
これにより、測定対象部位の違いによらず、脈動を精度よく適切に測定することが可能になる。ここで、測定対象部位の違いとは、人間や実験用小動物等の生体の種類の違い（耳の厚さと血流量の違い）のみならず、同一生体の中での部位の違い（耳と、それ以外の部位、例えば指等との違い）も含まれる。
【００３６】
ここで、上述の実施形態では、波長の可変設定を可能とすべく、発光部として、相互に相異なる単一色光をそれぞれ発するＮ個のＬＥＤ発光部１３−１乃至１３−Ｎが採用されたが、特にこれに限定されず、「波長の可変設定」をすることが可能な発光部であれば足りる。従って、発光部の種類として、ＬＥＤに特に限定されず任意の種類を採用することもできるし、発光部の個数として、波長の可変設定が可能であれば１個も含め任意の個数を採用することもできる。
【００３７】
また、上述の実施形態では、本発明が適用される脈動測定装置のうち、データ取得部１６乃至波長設定部１９については、コンピュータ３１に設けられる例について説明したが、特にこれに限定されない。
例えば、データ取得部１６乃至波長設定部１９は、上述の各機能を有する電子機器一般に設けられることができる。具体的には、例えば、データ取得部１６乃至波長設定部１９は、ノート型のパーソナルコンピュータ、プリンタ、テレビジョン受像機、ビデオカメラ、携帯型ナビゲーション装置、スマートフォン、携帯電話機、ポータブルゲーム機等に設けられ得る。
【００３８】
そして、この場合、データ取得部１６乃至波長設定部１９の各機能を発揮するために必要な各処理は、ハードウェアにより実行させることもできるし、ソフトウェアにより実行させることもできる。
換言すると、図１のデータ取得部１６乃至波長設定部１９の機能的構成は例示に過ぎず、特に限定されない。即ち、上述した一連の処理を全体として実行できる機能が、脈動測定装置内に備えられていれば足り、この機能を実現するためにどのような機能ブロックを用いるのかは特に図１の例に限定されない。
また、１つの機能ブロックは、ハードウェア単体で構成してもよいし、ソフトウェア単体で構成してもよいし、それらの組み合わせで構成してもよい。
【００３９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば上述のコンピュータ３１であってもよい。
【００４０】
このようなプログラムを含む記録媒体は、ユーザにプログラムを提供するために装置本体とは別に配布される図示せぬリムーバブルメディアにより構成されるだけでなく、装置本体に予め組み込まれた状態でユーザに提供される記録媒体等で構成される。
リムーバブルメディアは、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図示せぬＲＯＭや、図示せぬハードディスク等で構成される。
【００４１】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【符号の説明】
【００４２】
１１・・・ＬＥＤ駆動電源、
１２・・・切替部、
１３・・・ＬＥＤ発光部
１４・・・受光部
１５・・・アンプ
１６・・・データ取得部、
１７・・・データ表示部、
１８・・・厚み取得部、
１９・・・波長設定部
５１・・・モルモット
【図１】
2015000045.tif 000006
【図２】
2015000045.tif 000007
【図３】
2015000045.tif 000008
【図４】
2015000045.tif 000009
【図５】
2015000045.tif 000010
【図６】
2015000045.tif 000011
【図７】
2015000045.tif 000012
【図８】
2015000045.tif 000013